(57)【要約】【課題】テーブルとしての保持特性、カップ保持特性、不使用時の外観特性を良好に維持しながら、構造の簡明化を図って製作費をより低減可能にする。【解決手段】上面１０に凹状ないしは穴状の配置部１４を形成しているテーブル本体１、及び前記テーブル本体に対してガイド手段（１５，２５）を介して摺動自在に組み付けられた可動部材２とからなる。可動部材２は、配置部１４を塞いでテーブル本体の上面１０と略面一となるテーブル態様と、配置部１４の一部を開放した状態で配置部の内下側にカップ受け部１７を形成するホルダー態様とに切り換えられる。【選択図】図１
2012111314.tif 000002
【特許請求の範囲】
【請求項１】
上面に凹状ないしは穴状の配置部を形成しているテーブル本体、及び前記テーブル本体に対してガイド手段を介して摺動自在に組み付けられた可動部材とからなり、
前記可動部材が、前記配置部を塞いで前記テーブル本体の上面と略面一となるテーブル態様と、前記配置部の一部を開放した状態で配置部の内下側にカップ受け部を形成するホルダー態様とに切り換えられることを特徴とするテーブル。
【請求項２】
前記テーブル本体は、前記配置部の一部を小物入れ部として形成していることを特徴とする請求項１に記載のテーブル。
【請求項３】
前記可動部材は、複数の板部から構成されて、前記板部のうち一端側の板部に設けられた取っ手を有していることを特徴とする請求項１又は２に記載のテーブル。
【請求項４】
前記ガイド手段は、前記テーブル本体及び前記可動部材の一方に設けられた案内溝と、他方に設けられて前記案内溝に嵌合する突起とからなることを特徴とする請求項１から３の何れかに記載のテーブル。
【請求項５】
前記ガイド手段には、前記可動部材を前記テーブル態様に維持する停止手段が設けられていることを特徴とする請求項１から４の何れかに記載のテーブル。
【請求項６】
前記停止手段は、前記案内溝内に設けられた屈曲部を有する弾性部材であり、前記屈曲部は前記突起を弾性的に係止可能にすることを特徴とする請求項５に記載のテーブル。
【発明の詳細な説明】
【技術分野】
【０００１】
本発明は、簡易テーブルのうち、特にカップ（このカップには缶，コップ，ペットボトル等を含む）を保持する保持部を有したテーブルに関する。
【背景技術】
【０００２】
車両や映画館等の室内の座席回りには、軽食を取ったり小物を載せるような場合に使用される簡易なテーブルが設けられている。図５（ａ）はその一例として特許文献１に開示のものを示している。同図において、テーブル（テーブル兼用トレイ）１１は、基板部材１２と蓋部材２１とで構成されており、蓋部材２１が基板部材１２に重ねられた折畳み状態から、両部材の間に設けられたヒンジ部２０を介して乗員側へ水平展開可能となっている。また、基板部材１２は、小物入れ用凹部１７及びカップ受け用凹部１９を形成している。蓋部材２１はカップ受け用凹部２９を形成している。両部材は、それぞれ対応した箇所に設けられたマグネット３０，３１を有し、折畳み状態をそのマグネット接合により維持する。
【０００３】
また、図５（ｂ）は特許文献２に開示のものを示している。この構造特徴は、 カップホルダ本体２がトレイ５に対し上下動可能に支持されているとともに、カップホルダ本体２を上方に付勢するダンパ４を有している点、トレイ５の一部に設けられた凹状の小物入れ７を有しているとともに、下降位置にあるカップホルダ本体２及び小物入れ７がスライド式のカバー６により目視不能に開閉される点にある。
【先行技術文献】
【特許文献】
【０００４】
【特許文献１】実開平７−１９０００号公報
【特許文献２】実開平６−１８０６４号公報
【発明の概要】
【発明が解決しようとする課題】
【０００５】
上記特許文献１の構造は、蓋部材２１が折畳み状態と水平展開状態とに切り換えられるため不使用時に折り畳んでおくことで邪魔になり難くスペースの有効利用も図られる。しかしながら、この構造では、カップ受け用凹部２９が浅くカップを安定した状態に保持できない。この対策としては、凹部に代えて上下貫通した保持孔に変更すると、非使用時の見栄えが悪くなるだけではなく、テーブルないしはトレイとして使用したときに物品を載せ難くなる。
【０００６】
特許文献２の構造は、カップホルダ本体２及び小物入れ７が不使用時にカバー６により目視不能に覆われるため見栄えを維持できる。しかしながら、この構造では、カップホルダ本体２が上下動されるため複雑高価となったり、カバー６を開放するときの収納スペースを確保し難くなる。
【０００７】
本発明の目的は、以上のような背景から工夫されたもので、物品を載せる保持特性、カップを保持する保持特性、不使用時の外観特性を共に良好に維持しながら、構造の簡明化を図って製作費をより低減可能にすることにある。他の目的は、カップ保持部以外に小物入れを追加し易い構造にすることにある。
【課題を解決するための手段】
【０００８】
上記目的を達成するため請求項１の発明は、図１及び図２を参照し特定すると、上面１０に凹状ないしは穴状の配置部１４を形成しているテーブル本体１、及び前記テーブル本体に対してガイド手段（１５，２５）を介して摺動自在に組み付けられた可動部材２とからなり、前記可動部材が、前記配置部１４を塞いで前記テーブル本体の上面と略面一となるテーブル態様と、前記配置部１４の一部を開放した状態で配置部の内下側にカップ受け部を形成するホルダー態様とに切り換えられることを特徴としている。
【０００９】
以上の本発明は請求項２〜５のように具体化されることがより好ましい。すなわち、
（ア）前記テーブル本体１は、前記配置部１４の一部を小物入れ部１２として形成している構成である（請求項２）。
（イ）前記可動部材２は、複数の板部２０〜２３から構成されて、前記板部のうち一端側の板部２０に設けられた取っ手２０ａを有している構成である（請求項３）。
（ウ）前記ガイド手段は、前記テーブル本体１及び前記可動部材２の一方に設けられた案内溝１５と、他方に設けられて前記案内溝に嵌合する突起２５とからなる構成である（請求項４）。
（エ）前記ガイド手段には、前記可動部材２を前記テーブル態様に維持する停止手段５が設けられている構成である（請求項５）。
（オ）前記停止手段は、前記案内溝１５内に設けられた屈曲部５ｂを有する弾性部材５であり、前記屈曲部５ｂは前記突起２５を弾性的に係止可能にする構成である（請求項６）。
【発明の効果】
【００１０】
請求項１の発明では、図１に例示されるごとく可動部材が凹状又は穴状の配置部を塞いでテーブル本体の上面と略面一となるテーブル態様と、可動部材がテーブル態様からテーブル本体に対しガイド手段を介して摺動されて配置部の内下側にカップ受け部を形成するホルダー態様とに切り換えられる。そして、本発明は、主部材がテーブル本体及び可動部材からなり、可動部材がテーブル本体の配置部を覆うカバー及びカップ受け部を兼ねることから簡易、かつ省スペース化に優れている。同時に、本発明は、テーブル態様においてテーブル上面の平面性つまり物品を載せる保持特性及び外観特性を良好に維持でき、ホールド態様において可動部材がテーブル本体に設けられた配置部を開放してその内下側にカップ受け部を形成するためカップ受け用凹部の深さを確保し易く、それによりカップ保持特性を向上できる。
【００１１】
請求項２の発明では、小物入れ部がテーブル本体側配置部の一部に設けられて、可動部材のテーブル態様で覆われるため見栄え及び汎用性に優れたものを提供できる。
【００１２】
請求項３の発明では、可動部材が取っ手を利用して良好に摺動操作される。この取っ手は、可動部材を構成している複数の板部のうち一端側の板部に設けられているためテーブル態様において邪魔になり難い。
【００１３】
請求項４の発明では、可動部材がテーブル本体に対し簡易なガイド手段（案内溝と突起との嵌合）を介してテーブル態様とホルダー態様とに確実に切り換えられ、これにより使い勝手を向上できる。
【００１４】
請求項５の発明では、可動部材がテーブル態様で振動などを受けても不用意に動かなくなるよう停止手段により規制され、それにより誤作動を未然に防止可能となる。この場合、請求項６の発明では、可動部材が案内溝内に設けられた弾性部材の屈曲部に突起を弾性的に係止するため、誤作動を簡易かつ確実に防ぐことができる。
【図面の簡単な説明】
【００１５】
【図１】第１形態のテーブルを示し、（ａ）は可動部材をテーブル態様にしたときの概略斜視図、（ｂ）は可動部材をカップホルダー態様にしたときの概略斜視図である。
【図２】上記テーブルの全体の構成を示す分解図である。
【図３】第２形態のテーブルを示し、（ａ）は可動部材をテーブル態様にしたときの概略斜視図、（ｂ）は可動部材をカップホルダー態様にしたときの概略斜視図である。
【図４】第３形態のテーブルを示し、（ａ）と（ｂ）は異なるテーブル態様を示す概略斜視図である。
【図５】（ａ）と（ｂ）は特許文献１と２の構造を示す説明図である。
【発明を実施するための最良の形態】
【００１６】
以下、本発明形態のテーブルを図面を参照し説明する。この説明では、図１及び図２に示した第１形態及びその作動、図３の第２形態の変更点、図４の第３形態の変更点の順に詳述する。
【００１７】
（第１形態）図１及び図２において、このテーブル４は、凹状ないしは穴状の配置部１４を形成している略矩形のテーブル本体１、及びテーブル本体１に対して摺動自在に組み付けられて、配置部１４を塞いでテーブル本体１の上面１０と略面一となるテーブル態様と、配置部１４の一部を開放した状態で配置部１４の内下側にカップ受け部を形成するホルダー態様とに切り換えられる可動部材２とから構成されている。なお、この構造において、テーブル４はメインテーブル３に対し必要に応じて着脱可能に連結されるメインテーブル拡張用として設計されているが、メインテーブル３とは無関係なものとして実施可能なものである。
【００１８】
テーブル本体１は左右に長い矩形状の樹脂成形品からなる。配置部１４は、本体外周より一回り内側に設けられて、左右略中間から一方側に設けられた凹状の小物入れ部１２と、左右略中間から他方側に設けられた上下貫通した穴状の枠部１３とで区画されている。小物入れ部１２及び枠部１３の上内側面は、連続形成されており、可動部材２を平面上に展開した大きさと対応した矩形状となっている。小物入れ部１２は、左右の側壁部１４ａ，１４ｂと、前後壁部１４ｃと、低壁１４ｄとにより収容空間を区画形成している。各壁部１４ｃの上側には、対向した案内溝１５が左右の側壁１４ａ，１４ｂの間の長さで設けられている。枠部１３は、両端側（小物入れ部１２と反対側となる端側）に対向して設けられた軸穴１３ａ（図２を参照）を有している。
【００１９】
両案内溝１５の右端側には金属製の弾性部材５が設けられている。弾性部材５は、図２の拡大図に示すごとくプレス品であり、平板状の取付部５ａと、取付部５ａから延びる湾曲状の屈曲部５ｂとを一体に形成している。取付部５ａは、案内溝１５の内底面に一段高く設けられた台座１５ａにねじ６等により固定されている。屈曲部５ｂは、案内溝１５の長手方向に延びており、後述する可動部材２の突起２５を弾性的に係脱可能となっている。
【００２０】
以上のテーブル本体１には、複数の連結穴１６がメインテーブル３との接合端面となる後側端面に設けられている。すなわち、このテーブル本体１はメインテーブル３に着脱可能に連結される。メインテーブ３は、板幅がテーブル本体１とほぼ同じ長さの矩形板状であり、上面３０がテーブル本体側上面１０と連続し、下面３１がテーブル本体側下面１１と連続する形状となっている。また、メインテーブ３の接合端面には、複数（この例では３つ）の連結軸３２が突設されている。各連結軸３２は、断面が矩形状からなるとともに、上面に設けられた凸部３３を有している。
【００２１】
これに対し、可動部材２は、複数の板部２０〜２３から構成されているとともに、隣接する板部同士が回動自在に連結されている。すなわち、板部２０と板部２１とはシャフト２６を介して連結され、板部２１と板部２２とはシャフト２７を介して連結され、板部２２と板部２３とはシャフト２８を介して連結されている。また、板部２０は、穴状に設けられた取っ手２０ａと、両側面に対向して突設された片側２つ、合計４つの軸状突起２５とを有している。板部２１〜２３は、図２に示されるごとく、水平状態からシャフト２７，２８を介して略コ形状に屈曲可能となっている。板部２３は、外端の両側面に対向して突設された軸状の突起２９を有している。
【００２２】
（作動）そして、可動部材２は、板部２０の各突起２５を対応する案内溝１５に摺動自在に嵌合し、かつ、板部２３の各突起２９を枠部１３の対応する軸穴１３ａに嵌合ないしは枢支することによりテーブル本体１に組み込まれる。完成されたテーブル４は以下に述べるような作動特徴を有している。
【００２３】
なお、以上のテーブル４は、メインテーブル３に対し、各連結穴１６に対応する連結軸３２を押入することにより図１のごとく着脱可能に一体化される。この着脱構造では、連結軸３２が連結穴１６に係合し、かつ凸部３３の圧接力により所定の連結強度が得られるようになっている。但し、テーブル４とメインテーブル３との連結構造は任意である。また、テーブル４は、座席のアーム部や各種のコンソール等に単独で配置しても差し支えない。
【００２４】
（１）図１（ａ）は、各板部２０〜２３を水平展開した状態、つまり配置部１４を各板部２０〜２３にて塞いでテーブル本体１の上面１０と略面一となる可動部材２のテーブル態様を示している。このテーブル態様では、板部２０が合計４つの突起２５のうち、端側の２つの突起２５が弾性部材５の屈曲部５ｂに弾性的に係止され、それによって可動部材２ないしは各板部が振動を受けても不用意に動かないようになっている。この例では、メインテーブル３をテーブル４により拡張した状態で、全体のテーブル受け面ないしは保持面が上面３０及び上面１０並びに各板部２０〜２３により形成されている。
【００２５】
（２）図１（ｂ）は、各板部２０〜２３を摺動操作することにより配置部１４の一部を開放し、かつ配置部１４の内下側にカップ受け部１７を形成した可動部材２のホルダー態様を示している。この切換操作は、例えば、指を取っ手２０ａに掛けて開放方向へ動かすと、前記した突起２５が屈曲部５ｂから係合解除された後、板部２０の各突起２５が案内溝１５に沿って摺動されるとともに、合計４つの突起２５のうち、板部２１側の２つの突起２５が案内溝１５の端部に当たることでホルダー態様となる。
【００２６】
すなわち、ホルダー態様では、板部２０が案内溝１５の最内側まで動かされ、板部２１がその板部２０の連結端に対しシャフト２６を支点として略９０度下向きに回動され、板部２３が軸穴１３ａに嵌合されている突起２９を支点として略９０度下向きに回動され、板部２２が両側を板部２１及び板部２３の各連結端に対しシャフト２７，２８を支点として回動されて略水平に配置される。その結果、このホルダー態様では、枠部１３の下側に板部２１〜２３により略コ形のカップ受け部１７を形成しており、そこに缶などのカップ７を保持することができる。このカップ受け部１７は、カップ保持状態において、仮に液体がカップ７から外へ流れたとしても枠部１３と板部２２との間の隙間から外部へ流れるため使い勝手がよい。勿論、カップ受け部１７は、カップ以外の物品を保持する箇所として利用することも可能である。
【００２７】
（３）また、以上のホルダー態様では、テーブル本体側小物入れ部１２がほぼ全開されており、カード類や鍵などの小物８をその小物入れ部１２に出し入れできる。このため、この構造では、テーブル４が本来のテーブル以外に、カップホルダーとして、更に小物入れとしても使用でき、これにより利便性に優れたものとなる。なお、可動部材２を再びホルダー態様からテーブル態様に切り換えるときは、指を板部２０の取っ手２０ａに掛けて閉方向へ動かすと、前記した突起２５が屈曲部５ｂに弾性係合した状態となる。
【００２８】
（第２形態）図３は以上の小物入れ部１２を変更した一例を示し、同（ａ）と同（ｂ）は図１（ａ）と（ｂ）に対応して示している。この説明では、上記第１形態と同じ箇所に同一符号を付し変更点だけを明らかにする。
【００２９】
この小物入れ部１２Ａは、下側に凹状の受け部１８が一体的に設けられ、第１形態の小物入れ部１２に比べ下側が受け部１８により深く形成されている。このため、このテーブル４Ａは、第１形態に比べて、小物入れ部１２Ａにより多くの小物類を収納したり、図３（ｂ）のごとく可動部材２のホルダー態様、つまり小物入れ部１２Ａを全開した状態で携帯電話などの電子機器９を保持したり、複数のカップなども保持できる。なお、この取っ手２０ａは凹状に形成されており、テーブル態様で小物入れ部１２Ａの内部が見えないようになっている。
【００３０】
（第３形態）図４は以上のテーブル４とメインテーブル３との連結構造を変更した一例を示し、同（ａ）は図１（ａ）に対応して示し、同（ｂ）は（ａ）の状態からメインテーブル３を本発明のテーブル４Ｂに重ねた状態を示している。この説明でも、上記第１形態と同じ箇所に同一符号を付し変更点だけを明らかにする。
【００３１】
図４において、このテーブル４Ｂ及びメインテーブル３Ａは、第１形態のものに比べ、複数（この例では２つ）の蝶番３５により略１８０度回転可能に連結されているとともに、各上面１０と３０の対応部に設けられたマグネット１９，３９を有し、折畳み状態をそのマグネット接合により維持されるようになっている。蝶番３５は、公知のヒンジ構造からなり、例えば、２つの取付片を共通のシャフトに枢支しており、テーブル４Ｂとメインテーブル３Ａとの対向端面のうち、テーブル側端面に一方の取付片を固定し、メインテーブル側端面に他方の取付片を固定することにより、メインテーブル３Ａをテーブル４Ｂに対し約１８０度回転可能にする。このため、このテーブル４Ｂは、上記したメインテーブル３を拡張するテーブル態様と、カップホルダーとして使用するホルダー態様とに加えて、メインテーブル３を一段高くする機能を有している。
【００３２】
なお、本発明は、請求項１で特定した構成を備えておればよく、細部は必要に応じて種々変更可能なものである。例えば、可動部材２としては、５以上の板部により構成したり、更にシャッターのような摺動方向に屈曲可能な板材構成でもよい。
【符号の説明】
【００３３】
１…テーブル本体（１０は上面、１１は下面、１４は配置部、１５は案内溝）
２…可動部材（２０〜２３は板部、２５，２９は突起、２０ａは取っ手）
３，３Ａ…メインテーブル（３０は上面、３１は下面、３２は連結軸、３５は蝶番）
４，４Ａ，４Ｂ…テーブル
５…弾性部材（５ａは取付部、５ｂは屈曲部）
７…カップ
８…小物
９…電子機器
１２，１２Ａ…小物入れ部（配置部を構成し、１４ａ,４ｂは側壁部）
１３…枠部（配置部を構成し、１３ａは軸穴）
１７…カップ受け部  
【図１】
2012111314.tif 000003
【図２】
2012111314.tif 000004
【図３】
2012111314.tif 000005
【図４】
2012111314.tif 000006
【図５】
2012111314.tif 000007